【手続補正書】
【提出日】平成18年2月6日(2006.2.6)
【手続補正１】
【補正対象書類名】明細書
【補正対象項目名】特許請求の範囲
【補正方法】変更
【補正の内容】
【特許請求の範囲】
【請求項１】  航空写真画像もしくは衛星画像からエッジ抽出による色情報の変化境界を線分化して地物線分図形を形成し、該地物線分図形に高さデータを重ね合せて３次元地物線分図形を得、該３次元地物線分図形の複数の線分を同一高さの水準でグループ化すると共に前記複数の線分の夫々を境界とする両側の高さを属性として比高差により前記複数の線分に方向を定め、
前記グループ化した各グループの線分の最も近い始点及び終点を結線するようにしたことを特徴とするポリゴン形成方法。
【請求項２】  地物の航空写真画像もしくは衛星画像の色情報の変化境界を線分化し地物線分図形を形成するエッジ抽出処理手段と、
前記地物線分図形に高さデータを重ね合せ３次元地物線分図形を形成する重ね合せ手段と、
前記３次元地物線分図形の複数の線分を同一高さの水準でグループ化するグループ化手段と、
前記複数の線分の夫々を境界とする両側の高さを属性として比高差により前記複数の線分に方向を定める方向決定手段と、
前記グループ化した各グループの線分の最も近い始点及び終点を結線する結線処理手段とを有することを特徴とするポリゴン形成システム。
【手続補正２】
【補正対象書類名】明細書
【補正対象項目名】００１２
【補正方法】変更
【補正の内容】
【００１２】
【課題を解決するための手段】
本発明のポリゴン形成方法は航空写真画像もしくは衛星画像からエッジ抽出による色情報の変化境界を線分化して地物線分図形を形成し、この地物線分図形に高さデータを重ね合せて３次元地物線分図形を得、この３次元地物線分図形の複数の線分を同一高さの水準でグループ化すると共にこの複数の線分の夫々を境界とする両側の高さを属性として比高差によりこの複数の線分に方向を定め、このグループ化した各グループの線分の最も近い始点及び終点を結線するようにしたものである。
【手続補正３】
【補正対象書類名】明細書
【補正対象項目名】００１３
【補正方法】変更
【補正の内容】
【００１３】
本発明によれば、地物線分図形に高さデータを重ね合せて３次元地物線分図形を得、この３次元地物線分図形の複数の線分を同一高さの水準でグループ化すると共にこの複数の線分の夫々を境界とする両側の高さを属性として比高差によりこの複数の線分に方向を定め、このグループ化した各グループの線分の最も近い始点及び終点を結線するようにしたので、ポリゴン形成が簡単となると共に正確性が向上し、更に自動化が可能となる。
【手続補正４】
【補正対象書類名】明細書
【補正対象項目名】００１４
【補正方法】変更
【補正の内容】
【００１４】
本発明のポリゴン形成システムは地物の航空写真画像もしくは衛星画像の色情報の変化境界を線分化し地物線分図形を形成するエッジ抽出処理手段と、この地物線分図形に高さデータを重ね合せ３次元地物線分図形を形成する重ね合せ手段と、この３次元地物線分図形の複数の線分を同一高さの水準でグループ化するグループ化手段と、この複数の線分の夫々を境界とする両側の高さを属性として比高差によりこの複数の線分に方向を定める方向決定手段と、このグループ化した各グループの線分の最も近い始点及び終点を結線する結線処理手段とを有するものである。
【手続補正５】
【補正対象書類名】明細書
【補正対象項目名】００１５
【補正方法】変更
【補正の内容】
【００１５】
本発明によれば、地物線分図形に高さデータを重ね合せて、３次元地物線分図形の複数の線分を同一高さの水準でグループ化すると共にこの複数の線分の夫々を境界とする両側の高さを属性として比高差によりこの複数の線分の方向を定め、このグループ化した各グループの線分の最も近い始点及び終点を結線するようにしたのでポリゴン形成が簡単となると共に正確性が向上し、更に自動化が可能となる。
【手続補正６】
【補正対象書類名】明細書
【補正対象項目名】００１８
【補正方法】変更
【補正の内容】
【００１８】
この図２に説明を簡単にするための地物線分図形の例を示す。建物等の線分は途中とぎれることはあり得ないが、このエッジ抽出処理した線分は図２に線分２ａ１〜２ａ４，２ｂ１〜２ｂ４，２ｃ１〜２ｃ４として示す如く途中にとぎれた個所が多数ある。
【手続補正７】
【補正対象書類名】明細書
【補正対象項目名】００１９
【補正方法】変更
【補正の内容】
【００１９】
本例においてはこのエッジ抽出処理手段２に得られる図２に示す如き地物線分図形を重ね合せ手段３に供給し、この重ね合せ手段３で、この地物線分図形に高さデータ入力手段４に供給される高さデータを重ね合せ、図３に示すような３次元地物線分図形を得る如くする。
【手続補正８】
【補正対象書類名】明細書
【補正対象項目名】００２１
【補正方法】変更
【補正の内容】
【００２１】
この重ね合せ手段３に得られる図３に示す如き３次元地物線分図形を、３次元地物線分図形の複数の線分を同一高さの水準でグループ化するグループ化手段５に供給する。このグループ化手段５は例えば図４に示すように標高１１０ｍの線分例えば２ａ１〜２ａ４を１グループとする。なお、ここでいう同一高さの水準として、所定の標高幅（例えば標高９８ｍ〜１０２ｍ）にある線分を同一高さとみなし、これをグループ化してもよい。
【手続補正９】
【補正対象書類名】明細書
【補正対象項目名】００２２
【補正方法】変更
【補正の内容】
【００２２】
このグループ化手段５にてグループ化処理された３次元地物線分図形を複数の線分の方向を決定する方向決定手段６に供給する。この方向決定手段６は複数の線分の夫々を境界とする両側の高さを属性として比高差により方向を定める。
【手続補正１０】
【補正対象書類名】明細書
【補正対象項目名】００２３
【補正方法】変更
【補正の内容】
【００２３】
例えば図５Ｃに示す如く線分ａを境界として一方が高く他方が低いときは、図５Ｄに示す如く高い側を右に、他方側が左に来るように線分を方向付け、その先端を終点ａ０とし、他端を始点ａ１とする如くする。
【手続補正１１】
【補正対象書類名】明細書
【補正対象項目名】００２５
【補正方法】変更
【補正の内容】
【００２５】
斯る方向決定手段６により複数の線分に方向を定めた３次元地物線分図形を結線処理手段７に供給する。この結線処理手段７においては、このグループ化した各グループの線分の端点に対し、最も近い始点ａ１及び終点ａ０を結線する如くする。
【手続補正１２】
【補正対象書類名】明細書
【補正対象項目名】００３１
【補正方法】変更
【補正の内容】
【００３１】
次にこの３次元地物線分図形の複数線分を同一高さの水準で例えば図４に示す如くグループ化し（ステップＳ５）、その後、図５Ａ，Ｂ，Ｃ，Ｄに示す如くこの複数の線分の夫々を境界とする両側の高さを属性として比高差により、この複数の線分に方向を定める（ステップＳ６）。
【手続補正１３】
【補正対象書類名】明細書
【補正対象項目名】００３４
【補正方法】変更
【補正の内容】
【００３４】
本例においては地物線分図形に高さデータを重ね合せて３次元地物線分図形を得、この３次元地物線分図形の複数の線分を同一高さの水準でグループ化すると共にこの複数の線分の夫々を境界とする両側の高さを属性として比高差によりこの複数の線分に方向を定め、このグループ化した各グループの線分の最も近い始点及び終点を結線するようにしたので、ポリゴン形成が簡単となると共に正確性が向上し、更に自動化が可能となり、作業性が向上する利益がある。
【手続補正１４】
【補正対象書類名】明細書
【補正対象項目名】符号の説明
【補正方法】変更
【補正の内容】
【符号の説明】
１‥‥対象地域画像入力手段、２‥‥エッジ抽出処理手段、３‥‥重ね合せ手段、４‥‥高さデータ入力手段、５‥‥グループ化手段、６‥‥方向決定手段、７‥‥結線処理手段